(57)【要約】【課題】加圧ロールによって溶接ワイヤが加圧されていないときに、モータが駆動されて、無駄な電力を消費することのない溶接ワイヤ送給装置を提供する。【解決手段】本発明の溶接ワイヤ送給装置は、モータと、モータによって駆動される送給ロールと、送給ロールとの間で溶接ワイヤを挟んで送給する加圧ロールと、加圧ロールが取り付けられた加圧ホルダとを備えている。さらに、加圧ロールが溶接ワイヤを加圧したときに、加圧ホルダが当接してＯＮするスイッチを備え、このスイッチが、モータの動力線に直列接続されている。この結果、加圧ロールによる溶接ワイヤの加圧が解除されたときに、スイッチがＯＦＦして、モータの動力線が遮断されので、加圧ロールによって溶接ワイヤが加圧されていないときに、モータが駆動されて、無駄な電力を消費することが無い。【選択図】図１
2009131873.tif 000002
【特許請求の範囲】
【請求項１】
モータと、
前記モータによって駆動される送給ロールと、
前記送給ロールとの間で溶接ワイヤを挟んで送給する加圧ロールと、
前記加圧ロールが取り付けられた加圧ホルダとを備えた溶接ワイヤ送給装置において、
前記モータの動力線に直列接続されて、前記加圧ロールが前記溶接ワイヤを加圧したときに前記加圧ホルダが当接してＯＮするスイッチを備え、
前記加圧ロールが前記溶接ワイヤを加圧したときに前記スイッチがＯＮして、前記モータの動力線が導通され、
前記加圧ロールによる前記溶接ワイヤの加圧が解除されたときに、前記スイッチがＯＦＦして、前記モータの動力線が遮断されることを特徴とする溶接ワイヤ送給装置。
【発明の詳細な説明】
【技術分野】
【０００１】
本発明は、消耗電極ガスシールドアーク溶接に使用される溶接ワイヤを送給するための溶接ワイヤ送給装置の改良に関するものである。
【背景技術】
【０００２】
消耗電極ガスシールドアーク溶接において、安定して溶接ワイヤを送給するために溶接ワイヤ送給装置が使用されている。（例えば、特許文献１参照。）従来、この溶接ワイヤ送給装置として、図３に示す装置が提案されていた。図３は、従来技術の溶接ワイヤ送給装置の内部図である。同図において、溶接ワイヤ送給装置１に取り付けられたモータ７に駆動ギヤー２が連結されている。第１の送給ロール３ａ及び第２の送給ロール３ｂが送給装置本体８に回転可能に支持されている。これらの送給ロール３ａ、３ｂには、ギヤー４ａ、４ｂがそれぞれ同軸に取り付けられていて、これらのギヤー４ａ、４ｂが駆動ギヤー２とそれぞれ歯合されている。
【０００３】
第１の加圧ロール５ａ及び第２の加圧ロール５ｂは、第１の加圧ホルダ１２ａ及び第２の加圧ホルダ１２ｂに、それぞれ取り付けられている。これらの加圧ホルダ１２ａ、１２ｂの一端１３ａ、１３ｂが、送給装置本体８に回転可能にそれぞれ支持されていて、他端に設けられたレバー部１４ａ、１４ｂが、加圧ホルダ１２ａ、１２ｂにそれぞれ取り付けられたばね（図示を省略）のばね力で送給ロール３ａ、３ｂから離れる方向へ、それぞれ押し上げられている。
【０００４】
そして、例えば、溶接ワイヤ１１の材質が鉄のように硬い場合は、２つの加圧ロール５ａ、５ｂで強く押えることができる。その場合、２つの送給ロール３ａ、３ｂと２つの加圧ロール５ａ、５ｂとの間で滑りが発生することがないので、２つの加圧ロール５ａ、５ｂにギヤーを設ける必要が無い。一方、溶接ワイヤ１１の材質がアルミのように柔らかい場合は、２つの加圧ロール５ａ、５ｂで軽く押える必要がある。そのために、２つの送給ロール３ａ、３ｂと２つの加圧ロール５ａ、５ｂとの間で滑りが発生することがあるので、２つの加圧ロール５ａ、５ｂにギヤー（図示を省略）が、それぞれ同軸に取り付けられて、これらのギヤーが、二つ送給ロール３ａ、３ｂのギヤー４ａ、４ｂとそれぞれ歯合されている。
【０００５】
また、二つの送給ロール３ａ、３ｂ及び二つの加圧ロール５ａ、５ｂには、溶接ワイヤが挟まれて加圧されて送給されるための溝が、それぞれ形成されている。１５はワイヤ挿入口であり、１６はワイヤ送出口であり、センターガイド１０は、溶接ワイヤ１１がガイドされるために設けられている。
【０００６】
第１の加圧ハンドル１７ａ及び第２の加圧ハンドル１７ｂは、ハンドル本体１８ａ、１８ｂとそれに取り付けられたハンドル軸部１９ａ、１９ｂとからそれぞれ成る。二つのハンドル軸部１９ａ、１９ｂの一端２０ａ、２０ｂは、送給装置本体８に取り付けられた第１の支持部材２２ａ及び第２の支持部材２２ｂに、傾倒可能にそれぞれ支持されている。また、二つのハンドル軸部１９ａ、１９ｂの掛止部２１ａ、２１ｂは、二つの加圧ホルダ１２ａ、１２ｂのレバー部１４ａ、１４ｂに、それぞれ引っ掛けることができる。このとき、二つの加圧ロール５ａ、５ｂによって二つの送給ロール３ａ、３ｂは、それぞれ加圧される。二つのハンドル本体１８ａ、１８ｂ内にばねがそれぞれ設けられていて、加圧ハンドル１７ａ、１７ｂのつまみ部２３ａ、２３ｂをそれぞれ回転することによって、加圧力を調整することができる。
【０００７】
なお、第１の加圧ハンドル１７ａは、下方へ傾倒させた状態を示し、第２の加圧ハンドル１７ｂは第２の加圧ホルダ１２ｂのレバー部１４ｂに引っ掛けた状態を示している。第１の加圧ハンドル１７ａのハンドル本体１８ａ、ハンドル軸部１９ａ、ハンドル軸部１９ａの一端２０ａ、ハンドル軸部１９ａの掛止部２１ａ及びつまみ部２３ａは図示されていないが、第２の加圧ハンドル１７ｂと同様である。
【０００８】
以下、動作を説明する。図３において、まず、二つの加圧ハンドル１７ａ、１７ｂを図面の手前方向へ倒すと、二つの加圧ハンドル１７ａ、１７ｂのハンドル軸部の掛止部２１ａ、２１ｂと二つの加圧ホルダ１２ａ、１２ｂのレバー部１４ａ、１４ｂとのそれぞれの引っ掛かりが外れる。そして、二つの加圧ホルダ１２ａ、１２ｂに取り付けられたばねのばね力によって、二つの加圧ホルダ１２ａ、１２ｂが、それぞれの一端１３ａ、１３ｂを支点として上方へ回転して、持ち上げられ、二つの加圧ホルダ１２ａ、１２ｂと一体となった二つの加圧ロール５ａ、５ｂも、同様にそれぞれ持ち上げられる。
【０００９】
そして、ワイヤリール（図示を省略）からの溶接ワイヤ１１をワイヤ挿入口１５から挿入させて、第１の送給ロール３ａの溝に通し、センターガイド１０を通して、第２の送給ロール３ｂの溝に通して、ワイヤ送出口１６に通す。この後は、溶接トーチ（図示を省略）まで溶接ワイヤ１１をガイドするコンジットケーブル（図示を省略）に挿通させる。
【００１０】
次に、二つの加圧ホルダ１２ａ、１２ｂをそれぞれの一端１３ａ、１３ｂを支点として下方へそれぞれ回転させて、レバー部１４ａ、１４ｂをそれぞれ降ろし、二つの加圧ハンドル１７ａ、１７ｂを、それぞれのハンドル軸部の一端２０ａ、２０ｂを支点として上方へそれぞれ回転させて、二つの加圧ホルダ１２ａ、１２ｂのレバー部１４ａ、１４ｂにそれぞれ引っ掛けて、二つの加圧ホルダ１２ａ、１２ｂを固定する。この結果、溶接ワイヤ１１は、二つの加圧ロール５ａ、５ｂの溝にも通されて、第１の送給ロール３ａの溝と第１の加圧ロール５ａの溝で挟まれ、かつ、第２の送給ロール３ｂの溝と第２の加圧ロール５ｂの溝でも挟まれることになる。
【００１１】
そして、モータ７を駆動すると、このモータ７に連結された駆動ギヤー２が回転されて、この駆動ギヤー２に歯合された二つの送給ロール３ａ、３ｂがそれぞれ回転される。この結果、二つの送給ロール３ａ、３ｂと二つの加圧ロール５ａ、５ｂとで挟まれた溶接ワイヤ１１は、送給される。
【００１２】
【特許文献１】特開平６−７１４４４号公報
【発明の開示】
【発明が解決しようとする課題】
【００１３】
溶接ワイヤ１１を交換するときや、ワイヤ送給部の部品を交換する場合に、溶接用電源が起動しているとき、作業者が誤って溶接用電源又はリモコンのインチングボタンを押したり、溶接トーチのトーチスイッチを押すことがある。この場合、上述した従来技術の溶接ワイヤ送給装置１は、二つの加圧ロール５ａ、５ｂを二つの送給ロール３ａ、３ｂから離して押し上げて、溶接ワイヤ１１を送給できない状態であるにもかかわらず、モータ７が駆動されて、無駄な電力を消費することになる。
【００１４】
本発明は、加圧ロールによって溶接ワイヤが加圧されていないときに、モータが駆動されて、無駄な電力を消費することのない溶接ワイヤ送給装置を提供することを目的としている。
【課題を解決するための手段】
【００１５】
第１の発明は、モータと、
前記モータによって駆動される送給ロールと、
前記送給ロールとの間で溶接ワイヤを挟んで送給する加圧ロールと、
前記加圧ロールが取り付けられた加圧ホルダとを備えた溶接ワイヤ送給装置において、
前記モータの動力線に直列接続されて、前記加圧ロールが前記溶接ワイヤを加圧したときに前記加圧ホルダが当接してＯＮするスイッチを備え、
前記加圧ロールが前記溶接ワイヤを加圧したときに前記スイッチがＯＮして、前記モータの動力線が導通され、
前記加圧ロールによる前記溶接ワイヤの加圧が解除されたときに、前記スイッチがＯＦＦして、前記モータの動力線が遮断されることを特徴とする溶接ワイヤ送給装置である。
【発明の効果】
【００１６】
本発明の溶接ワイヤ送給装置は、加圧ロールによる溶接ワイヤの加圧が解除されたときに、モータの動力線を遮断することができる。従って、溶接ワイヤを交換するときや、ワイヤ送給部の部品を交換する場合に、溶接用電源が起動しているとき、作業者が誤って溶接用電源又はリモコンのインチングボタンを押したり、溶接トーチのトーチスイッチを押すことがある。この場合、モータが駆動されることは無く、無駄な電力を消費することが無い。
【発明を実施するための最良の形態】
【００１７】
［実施の形態１］
発明の実施の形態を実施例に基づき図面を参照して説明する。図１及び図２は、本発明の実施の形態１の溶接ワイヤ送給装置６の内部図であって、図１は、加圧ハンドルと加圧ホルダとの引っ掛かりを解除した状態を示す図であり、図２は、加圧ハンドルを加圧ホルダに引っ掛けた状態を示す図である。
【００１８】
図１及び図２において、第１のスイッチ２４ａ及び第２のスイッチ２４ｂが、送給装置本体８に設けられた第１の支持部材２２ａ及び第２の支持部材２２ｂの上部に、それぞれ取り付けられている。二つのスイッチ２４ａ、２４ｂは、モータ７の動力線に直列接続されている。また、第１の加圧ハンドル１７ａ及び第２の加圧ハンドル１７ｂのハンドル軸部の掛止部２１ａ、２１ｂを、第１の加圧ホルダ１２ａ及び第２の加圧ホルダ１２ｂのレバー部１４ａ、１４ｂにそれぞれ引っ掛けたときに、この二つの加圧ホルダのレバー部１４ａ、１４ｂが二つのスイッチ２４ａ、２４ｂにそれぞれ当接して、二つのスイッチ２４ａ、２４ｂがそれぞれＯＮする。その他の機能は、図３に示した従来技術の溶接ワイヤ送給装置１の同機能に同符号を付して、説明を省略する。
【００１９】
以下、動作を説明する。図１において、例えば、溶接ワイヤを交換するときに、まず、二つの加圧ハンドル１７ａ、１７ｂを図面の手前方向へ倒すと、二つの加圧ハンドル１７ａ、１７ｂのハンドル軸部の掛止部２１ａ、２１ｂと、二つの加圧ホルダ１２ａ、１２ｂのレバー部１４ａ、１４ｂとのそれぞれの引っ掛かりが外れる。そして、二つの加圧ホルダ１２ａ、１２ｂに取り付けられたばねのばね力によって、二つの加圧ホルダ１２ａ、１２が、それぞれの一端１３ａ、１３ｂを支点として上方へ回転して、持ち上げられ、二つの加圧ホルダ１２ａ、１２ｂに取り付けられた二つの加圧ロール５ａ、５ｂも、同様に持ち上げられる。このとき、送給装置本体８に設けられた二つの支持部材２２ａ、２２ｂの上部にそれぞれ取り付けられている二つのスイッチ２４ａ、２４ｂに対する二つの加圧ホルダ１２ａ、１２ｂのレバー部１４ａ、１４ｂによるそれぞれの押圧力が無くなり、二つのスイッチ２４ａ、２４ｂはＯＦＦと成る。この結果、モータ７の動力線が遮断される。
【００２０】
そして、ワイヤリール（図示を省略）からの溶接ワイヤ１１をワイヤ挿入口１５から挿入させて、第１の送給ロール３ａの溝に通し、センターガイド１０を通して、第２の送給ロール３ｂの溝に通して、ワイヤ送出口１６に通す。この後は、溶接トーチ（図示を省略）まで溶接ワイヤ１１をガイドするコンジットケーブル（図示を省略）に挿通させる。
【００２１】
次に、図２に示すように、二つの加圧ホルダ１２ａ、１２ｂをそれぞれの一端１３ａ、１３ｂを支点として下方へ回転させて、レバー部１４ａ、１４ｂをそれぞれ降ろす。そして、二つの加圧ハンドル１７ａ、１７ｂを、ハンドル軸部の一端２０ａ、２０ｂを支点として、それぞれ上方へ回転させて、二つの加圧ホルダ１２ａ、１２ｂのレバー部１４ａ、１４ｂに、二つのハンドル軸部の掛止部２１ａ、２１ｂをそれぞれ引っ掛けて固定する。
【００２２】
この結果、溶接ワイヤ１１は、二つの加圧ロール５ａ、５ｂの溝にも通されて、第１の送給ロール３ａの溝と第１の加圧ロール５ａの溝で挟まれ、かつ、第２の送給ロール３ｂの溝と第２の加圧ロール５ｂの溝でも挟まれることになる。また、二つの加圧ホルダ１２ａ、１２ｂのレバー部１４ａ、１４ｂが二つのスイッチ２４ａ、２４ｂをそれぞれ押圧して、二つのスイッチ２４ａ、２４ｂがＯＮと成り、モータ７の動力線が導通する。
【００２３】
そして、モータ７を駆動すると、このモータ７に連結された駆動ギヤー２が回転されて、この駆動ギヤー２に歯合された二つの送給ロール３ａ、３ｂがそれぞれ回転される。この結果、二つの送給ロール３ａ、３ｂと二つの加圧ロール５ａ、５ｂとで挟まれた溶接ワイヤ１１が、送給される。  
【００２４】
上述したように、本発明の溶接ワイヤ送給装置６は、二つの加圧ロール５ａ、５ｂを二つの送給ロール３ａ、３ｂから離して、押し上げているときは、モータ７の動力線を遮断することができる。従って、溶接ワイヤ１１を交換するときや、ワイヤ送給部の部品を交換する場合に、溶接用電源が起動しているとき、作業者が誤って溶接用電源又はリモコンのインチングボタンを押したり、溶接トーチのトーチスイッチを押すことがある。この場合、モータ７が駆動されることは無く、無駄な電力を消費することが無い。
【００２５】
［実施の形態２］
上述した本発明の溶接ワイヤ送給装置は、二つの送給ロール３ａ、３ｂと二つの加圧ロール５ａ、５ｂとを設けたものについて説明したが、本発明は、一つの送給ロールと一つの加圧ロールとを設けた溶接ワイヤ送給装置にも同様に適用することができる。その場合は、図１及び図２において、第２の送給ロール３ｂ、第２の加圧ホルダ１２ｂ、第２の加圧ロール５ｂ、第２の加圧ハンドル１７ｂ、第２の支持部材２２ｂ及び第２のスイッチ２４ｂを除いた構成であり、上述した実施の形態１の機能、動作及び効果と同様であるので、説明を省略する。
【００２６】
なお、上述した実施の形態１及び実施の形態２においては、モータ７に駆動ギヤー２が連結されて、この駆動ギヤー２に送給ロールのギヤーがそれぞれ歯合されている場合を説明した。本発明の溶接ワイヤ送給装置は、モータに減速機が取り付けられていて、このモータが一つの送給ロールに直接連結された場合にも適用することができる。この場合、駆動ギヤーを省略することができる。
【図面の簡単な説明】
【００２７】
【図１】本発明の実施の形態１の溶接ワイヤ送給装置の内部図であって、加圧ハンドルと加圧ホルダとの引っ掛かりを解除した状態を示す図である。
【図２】本発明の実施の形態１の溶接ワイヤ送給装置の内部図であって、加圧ハンドルを加圧ホルダに引っ掛けた状態を示す図である。
【図３】従来技術の溶接ワイヤ送給装置の内部図である。
【符号の説明】
【００２８】
１            溶接ワイヤ送給装置
２            駆動ギヤー
３ａ            第１の送給ロール
３ｂ            第２の送給ロール
４ａ            第１の送給ロールのギヤー
４ｂ            第２の送給ロールのギヤー
５ａ            第１の加圧ロール
５ｂ            第２の加圧ロール
６            溶接ワイヤ送給装置
７            モータ
８            送給装置本体
１０            センターガイド
１１            溶接ワイヤ
１２ａ            第１の加圧ホルダ
１２ｂ            第２の加圧ホルダ
１３ａ            第１の加圧ホルダ１２ａの一端
１３ｂ            第２の加圧ホルダ１２ｂの一端
１４ａ            第１の加圧ホルダ１２ａのレバー部
１４ｂ            第２の加圧ホルダ１２ｂのレバー部
１５            ワイヤ挿入口
１６            ワイヤ送出口
１７ａ            第１の加圧ハンドル
１７ｂ            第２の加圧ハンドル
１８ａ            第１の加圧ハンドル１７ａのハンドル本体
１８ｂ            第２の加圧ハンドル１７ｂのハンドル本体
１９ａ            第１の加圧ハンドル１７ａのハンドル軸部
１９ｂ            第２の加圧ハンドル１７ｂのハンドル軸部
２０ａ            第１の加圧ハンドル１７ａのハンドル軸部の一端
２０ｂ            第２の加圧ハンドル１７ｂのハンドル軸部の一端
２１ａ            第１の加圧ハンドル１７ａのハンドル軸部の掛止部
２１ｂ            第２の加圧ハンドル１７ｂのハンドル軸部の掛止部
２２ａ            第１の支持部材
２２ｂ            第２の支持部材
２３ａ            第１の加圧ハンドル１７ａのつまみ部
２３ｂ            第２の加圧ハンドル１７ｂのつまみ部
２４ａ            第１のスイッチ
２４ｂ            第２のスイッチ
【図１】
2009131873.tif 000003
【図２】
2009131873.tif 000004
【図３】
2009131873.tif 000005